(57)【要約】      （修正有）【課題】スライドアセンブリが完全に引き出されて、複数のより重いシャーシを支持するとき、スライドアセンブリは、変形の危険性にあり、動作及び保守中に安全問題を引き起こす。【解決手段】スライドレールアセンブリ２０は、第１のレール２２、第２のレール２４、解放部材２６、３４及び制限部材２８を含む。第２のレールは、第１のレールに対して移動可能である。解放部材は、第２のレールに取り付けられる。制限部材は解放部材に対応するように配置される。制限部材は自由状態及び制限状態にあるように構成される。制限部材が自由状態にあるとき、解放部材は、第１の位置から第２の位置に動作的に移動させられるように構成される。制限部材が制限状態にあるとき、解放部材は、第１の位置から第２の位置に動作的に移動させられない。【選択図】図１
2018010609.tif 000002
【特許請求の範囲】
【請求項１】
障害構成を含む第１のレールと、
長手方向に沿って前記第１のレールに対して移動可能な第２のレールと、
該第２のレールに取り付けられる第１の解放部材と、
該第１の解放部材に対応するように配置される制限部材とを含み、
前記第１の解放部材は、前記第１の解放部材が第１の位置に位置するときに、前記障害構成に当接するように構成され、前記第１の解放部材は、前記第１の解放部材が第２の位置に位置するときに、前記障害構成に当接せず、
前記制限部材は、自由状態又は制限状態にあるように構成され、
前記制限部材が前記自由状態にあるときに、前記第１の解放部材は、前記第１の位置から前記第２の位置に動作的に移動させられるように構成され、前記制限部材が前記制限状態にあるときに、前記第１の解放部材は、前記第１の位置から前記第２の位置に動作的に移動させられ得ない、
スライドレールアセンブリ。
【請求項２】
前記第２のレールが前記第１のレールに対して引込位置から第１の延出位置に移動させられるときに、前記第１の解放部材は、前記第１の位置で前記第１のレールの前記障害構成に当接する、請求項１に記載のスライドレールアセンブリ。
【請求項３】
前記障害構成は、前記第１のレールの端に近接して配置される、請求項２に記載のスライドレールアセンブリ。
【請求項４】
前記第１の解放部材は、第１の端部分と、第２の端部分と、前記第１の端部分と前記第２の端部分との間に接続される動作部分とを含み、該動作部分は、スロットを有し、前記第２のレールは、第１の部分と、第２の部分とを含み、段が、前記第１の部分と前記第２の部分との間に形成され、前記第１の解放部材の前記第１の端部分は、前記第２のレールの前記第１の部分に取り付けられ、前記第１の解放部材の前記第２の端部分は、前記第２のレールの前記第２の部分に当接し、前記第１の解放部材の前記動作部分は、前記第１の解放部材が前記第１のレールの前記障害構成から分離させられるのを可能にするために、前記段に従って動作的に移動させられるように構成される、請求項２に記載のスライドレールアセンブリ。
【請求項５】
貫通孔が、前記第１の解放部材に対応して、前記第２のレールに形成され、前記制限部材は、前記第２のレールに取り付けられ、前記制限部材は、横断方向に沿って延出させられる弾性部分を含み、力が前記第１の解放部材に加えられて、前記制限部材を前記第１の解放部材に当接させるときに、前記第１の解放部材は、前記第１の位置から前記第２の位置に動作的に移動させられ得ない、請求項１に記載のスライドレールアセンブリ。
【請求項６】
前記第２のレールに取り付けられる第２の解放部材を更に含み、前記第２のレールが前記第１のレールに対して前記第１の延出位置から第２の延出位置に移動させられるときに、前記第２の解放部材は、前記第１のレールの前記障害構成に当接するように構成される、請求項２に記載のスライドレールアセンブリ。
【請求項７】
シャーシシステムのためのスライドレールアセンブリであって、
前記シャーシシステムは、第１のシャーシと、該第１のシャーシに取り外し可能に取り付けられる第２のシャーシとを含み、
当該スライドレールアセンブリは、
障害構成を含む第１のレールと、
長手方向に沿って前記第１のレールに対して移動可能であり、前記第１のシャーシに取り付けられる、第２のレールと、
前記第２のレールに取り付けられ、前記障害構成に当接するように構成される、第１の解放部材と、
該第１の解放部材に対応して、前記第２のレールに取り付けられる、制限部材とを含み、
前記第２のシャーシが前記第１のシャーシに取り付けられるときに、前記制限部材は、前記第１の解放部材が前記障害構成から分離させられるのを防止するために、前記第１の解放部材が押圧されて移動し得ないよう、前記第１の解放部材を更に制限するために、前記第２のシャーシによって前記第１のレールに向かって移動させられ、
前記第２のシャーシが前記第１のシャーシから取り外されるときに、前記第１の解放部材が前記障害構成から分離させられるのを可能にするために、前記第１の解放部材は押圧されて移動し得る、
スライドレールアセンブリ。
【請求項８】
前記第２のレールが前記第１のレールに対して引込位置から第１の延出位置に移動させられるときに、前記第１の解放部材は、前記障害構成に当接するように構成される、請求項７に記載のスライドレールアセンブリ。
【請求項９】
前記障害構成は、前記第１のレールの端に隣接して配置される、請求項７に記載のスライドレールアセンブリ。
【請求項１０】
前記第１の解放部材は、第１の端部分と、第２の端部分と、前記第１の端部分と前記第２の端部分との間に接続される動作部分とを含み、該動作部分は、スロットを有し、前記第２のレールは、第１の部分と、第２の部分とを含み、段が、前記第１の部分と前記第２の部分との間に形成され、前記第１の解放部材の前記第１の端部分は、前記第２のレールの前記第１の部分に取り付けられ、前記第１の解放部材の前記第２の端部分は、前記第２のレールの前記第２の部分に当接し、前記第１の解放部材の前記動作部分は、前記第１の解放部材が前記第１のレールの前記障害構成から分離させられるのを可能にするために、前記段に従って動作的に移動させられるように構成される、請求項８に記載のスライドレールアセンブリ。
【請求項１１】
貫通孔が、前記第１の解放部材に対応して、前記第２のレールに形成され、前記制限部材は、横断方向に沿って延出させられる弾性部分を含み、前記制限部材は、前記第１の解放部材が前記第１の延出位置から第２の延出位置に動作的に移動させられ得ないように、前記第１の解放部材に当接するよう前記第２のシャーシによって駆動させられるように構成される、請求項１０に記載のスライドレールアセンブリ。
【請求項１２】
前記第２のレールに取り付けられる第２の解放部材を更に含み、前記第２のレールが前記第１のレールに対して前記第１の延出位置から第２の延出位置に移動させられるときに、前記第２の解放部材は、前記第１のレールの前記障害構成に当接するように構成される、請求項１０に記載のスライドレールアセンブリ。
【請求項１３】
内部空間を有し、壁を含む、第１のシャーシであって、開口が、前記壁に形成され、前記内部空間と連通させられる、第１のシャーシと、
該第１のシャーシに取り外し可能に取り付けられる第２のシャーシと、
スライドレールアセンブリとを含む、
シャーシシステムであって、
前記スライドレールアセンブリは、
障害構成を含む第１のレールと、
長手方向に沿って前記第１のレールに対して移動可能な第２のレールと、
該第２のレールに取り付けられる第１の解放部材と、
該第１の解放部材に対応するように配置される制限部材とを含み、
前記第２のレールが前記第１のレールに対して引込位置から第１の延出位置に移動させられるときに、前記第１の解放部材は、前記障害構成に当接するように構成され、
前記制限部材は、前記第１のシャーシの前記内部空間内に配置されるよう前記第１のシャーシの前記開口を通じて進む弾性部分を有し、
貫通孔が、前記第１の解放部材に対応して、前記第２のレールに形成され、前記第２のシャーシが前記第１のシャーシの前記内部空間内に取り付けられるときに、前記第１の解放部材が前記障害構成から分離させられるのを防止するために、前記第１の解放部材が押圧されて移動し得ないように、前記第１の解放部材を更に制限するために、前記制限部材は、前記第２のシャーシによって前記第１のレールに向かって移動させられ、
前記第２のシャーシが前記第１のシャーシから取り外されるときに、前記第１の解放部材は、前記第１の解放部材が前記第１のレールの前記障害構成から分離させられるのを可能にするために、押圧されて移動し得る、
シャーシシステム。
【請求項１４】
前記障害構成は、前記第１のレールの端に隣接して配置される、請求項１３に記載のシャーシシステム。
【請求項１５】
前記第１の解放部材は、第１の端部分と、第２の端部分と、前記第１の端部分と前記第２の端部分との間に接続される動作部分とを含み、該動作部分は、スロットを有し、前記第２のレールは、第１の部分と、第２の部分とを含み、段が、前記第１の部分と前記第２の部分との間に形成され、前記第１の解放部材の前記第１の端部分は、前記第２のレールの前記第１の部分に取り付けられ、前記第１の解放部材の前記第２の端部分は、前記第２のレールの前記第２の部分に当接し、前記第１の解放部材の前記動作部分は、前記段に従って動作的に移動させられるように構成される、請求項１３に記載のシャーシシステム。
【請求項１６】
前記第２のレールに取り付けられる第２の解放部材を更に含み、前記第２のレールが前記第１のレールに対して前記第１の延出位置から第２の延出位置に移動させられるときに、前記第２の解放部材は、前記第１のレールの前記障害構成に当接するように構成される、請求項１５に記載のシャーシシステム。
【請求項１７】
前記第１のシャーシを収容するように構成されるハウジングを更に含み、前記スライドレールアセンブリは、前記ハウジングに取り付けられる固定レールを更に含み、前記第１のレールは、前記固定レールに対して移動可能である、請求項１３に記載のシャーシシステム。
【発明の詳細な説明】
【技術分野】
【０００１】
本発明はスライドレールアセンブリに関し、より具体的には、シャーシシステム用のスライドレールアセンブリに関する。
【背景技術】
【０００２】
特許文献１は、シャーシシステム用のスライドアセンブリを開示している。スライドアセンブリ（４０５）は、デバイス（５０５）と、空気ダクト（５２０）とを含む、複数のシャーシを支持する。スライドアセンブリ（４０５）が図６に示すようにラック構造（６１５）から完全に引き出されるときに、スライドアセンブリは、デバイス（５０５）及び空気ダクト（５２０）の重量を支えなければならない。
（先行技術文献）
［特許文献］
［特許文献１］米国特許第６，６８５，０３３号明細書
［特許文献２］米国特許第８，４２７，８３５号明細書
【発明の概要】
【発明が解決しようとする課題】
【０００３】
上記動作モードは、より軽量のシャーシシステムのための動作及び保守に影響を及ぼさないことがある。しかしながら、スライドアセンブリが完全に引き出されて、複数のより重いシャーシを支持するとき、スライドアセンブリは、変形の危険性にあり、動作及び保守中に安全問題を引き起こすことがある。
【課題を解決するための手段】
【０００４】
本発明は、シャーシシステムのためのスライドレールアセンブリを提供し、シャーシシステムは、第１のシャーシと、第１のシャーシに取り外し可能に取り付けられる第２のシャーシとを含む。シャーシシステムは、スライドレールアセンブリの配置（構成）を通じてより安全な動作及び保守を可能にする。
【０００５】
本発明のある実施態様によれば、スライドレールアセンブリが、障害構成を含む第１のレールと、長手方向に沿って第１のレールに対して移動可能な第２のレールと、第２のレールに取り付けられる第１の解放部材と、第１の解放部材に対応するように配置される制限部材とを含み、第１の解放部材は、第１の解放部材が第１の位置に位置するときに、障害構成に当接するように構成され、第１の解放部材は、第１の解放部材が第２の位置に位置するときに、障害構成に当接せず、制限部材は、自由状態又は制限状態にあるように構成され、制限部材が自由状態にあるときに、第１の解放部材は、第１の位置から第２の位置に動作的に移動させられるように構成され、制限部材が制限状態にあるときに、第１の解放部材は、第１の位置から第２の位置に動作的に移動させられ得ない。
【０００６】
本発明の他の実施態様によれば、シャーシシステムのためのスライドレールアセンブリが提供される。シャーシシステムは、第１のシャーシと、第１のシャーシに取り外し可能に取り付けられる第２のシャーシを含む。スライドレールアセンブリは、障害構成を含む第１のレールと、長手方向に沿って第１のレールに対して移動可能であり、第１のシャーシに取り付けられる、第２のレールと、第２のレールに取り付けられる第１の解放部材と、第２のレールに配置され、障害構成に当接するように構成される、制限部材と、第１の解放部材に対応して、第２のレールに取り付けられる、制限部材とを含み、第２のシャーシが第１のシャーシに取り付けられるときに、制限部材は、第１の解放部材が障害構成から分離させられるのを防止するために、第１の解放部材が押圧されて移動し得ないよう、第１の解放部材を更に制限するために、前記第２のシャーシによって第１のレールに向かって移動させられ、第２のシャーシが第１のシャーシから取り外されるときに、第１の解放部材が障害構成から分離させられるのを可能にするために、第１の解放部材は押圧されて移動し得る。
【０００７】
本発明の他の実施態様によれば、シャーシシステムが、第１のシャーシと、第２のシャーシと、スライドレールアセンブリとを含む。第１のシャーシは、内部空間を有し、第１のシャーシは、壁を含む。開口が、壁に形成され、内部空間と連通させられる。第２のシャーシは、第１のシャーシに取り外し可能に取り付けられる。スライドレールアセンブリは、障害構成を含む第１のレールと、長手方向に沿って第１のレールに対して移動可能な第２のレールと、第２のレールに取り付けられる第１の解放部材と、第１の解放部材に対応するように配置される制限部材とを含み、第２のレールが第１のレールに対して引込位置から第１の延出位置に移動させられるときに、第１の解放部材は、障害構成に当接するように構成され、制限部材は、第１のシャーシの内部空間内に配置されるよう第１のシャーシの開口を通じて進む弾性部分を有し、貫通孔が、第１の解放部材に対応して、第２のレールに形成され、第２のシャーシが第１のシャーシの内部空間内に取り付けられるときに、第１の解放部材が障害構成から分離させられるのを防止するために、第１の解放部材が押圧されて移動し得ないように、第１の解放部材を更に制限するために、制限部材は、第２のシャーシによって第１のレールに向かって移動させられ、第２のシャーシが第１のシャーシから取り外されるときに、第１の解放部材は、第１の解放部材が第１のレールの障害構成から分離させられるのを可能にするために、押圧されて移動し得る。
【０００８】
好ましくは、第２のレールが第１のレールに対して引込位置から第１の延出位置に移動させられるときに、第１の解放部材は、第１の位置で第１のレールの障害構成に当接する。
【０００９】
好ましくは、障害構成は、第１のレールの端に近接して配置される。
【００１０】
好ましくは、第１の解放部材は、第１の端部分と、第２の端部分と、第１の端部分と第２の端部分との間に接続される動作部分とを含み、動作部分は、スロットを有し、第２のレールは、第１の部分と、第２の部分とを含み、段が、第１の部分と第２の部分との間に形成され、第１の解放部材の第１の端部分は、第２のレールの第１の部分に取り付けられ、第１の解放部材の第２の端部分は、第２のレールの第２の部分に当接し、第１の解放部材の動作部分は、第１の解放部材が第１のレールの障害構成から分離させられるのを可能にするために、段に従って動作的に移動させられるように構成される。
【００１１】
好ましくは、貫通孔が、第１の解放部材に対応して、第２のレールに形成され、制限部材は、第２のレールに取り付けられ、制限部材は、横断方向に沿って延出させられる弾性部分を含み、力が第１の解放部材に加えられて、制限部材を第１の解放部材に当接させるときに、第１の解放部材は、第１の位置から第２の位置に動作的に移動させられ得ない。
【００１２】
好ましくは、スライドレールアセンブリは、第２のレールに取り付けられる第２の解放部材を更に含み、第２のレールが第１のレールに対して第１の延出位置から第２の延出位置に移動させられるときに、第２の解放部材は、第１のレールの障害構成に当接するように構成される。
【００１３】
好ましくは、スライドレールアセンブリは、第１のシャーシを収容するように構成されるハウジングを更に含み、スライドレールアセンブリは、ハウジングに取り付けられる固定レールを更に含み、第１のレールは、固定レールに対して移動可能である。
【００１４】
本発明のこれらの及び他の目的は、様々な図面及び図に例示される好適な実施態様の以下の詳細な記述を判読した後、当業者に疑義なく明らかになるであろう。
【図面の簡単な説明】
【００１５】
【図１】本発明のある実施態様に従ったスライドレールアセンブリの分解図である。
【００１６】
【図２】図１の領域Ａの拡大図である。
【００１７】
【図３】本発明のある実施態様に従った延出状態にあるスライドレールアセンブリを示す図である。
【００１８】
【図４】本発明のある実施態様に従った引込位置にあるスライドレールアセンブリを示す図である。
【００１９】
【図５】本発明のある実施態様に従った第１の延出位置にあるスライドレールアセンブリを示す図である。
【００２０】
【図６】本発明のある実施態様に従ったスライドレールアセンブリの第１の解放部材に第１の力を適用する動作を示す図である。
【００２１】
【図７】本発明のある実施態様に従った第２の延出位置にあるスライドレールアセンブリを示す図である。
【００２２】
【図８】本発明のある実施態様に従った、スライドレールアセンブリが第１の延出位置に位置するときに第２の力によって駆動させられる制限部材を示す図である。
【００２３】
【図９】本発明のある実施態様に従った他の角度における延出状態にあるスライドレールアセンブリを示す図である。
【００２４】
【図１０】本発明のある実施態様に従ったシャーシシステムに適用されるスライドレールアセンブリを示す図である。
【００２５】
【図１１】図１０の領域Ｂの拡大図である。
【００２６】
【図１２】本発明のある実施態様に従った引込状態におけるシャーシシステムとスライドレールアセンブリとの間の構成を示す図である。
【発明を実施するための形態】
【００２７】
図１乃至図３は、本発明のある実施態様に従ったスライドレールアセンブリ２０を示している。スライドレールアセンブリ２０は、第１のレール２２と、長手方向に沿って第１のレール２２に対して移動可能である第２のレール２４と、第２のレール２４に取り付けられる第１の解放部材２６と、第１の解放部材２６に対応するように配置される制限部材２８とを含む。好ましくは、第１のレール２２は、少なくとも１つの障害構成３０を含む。本実施態様において、第１のレール２２は、２つの障害構成３０を含む。障害構成３０は、第１のレール２２の端に隣接して位置する。
【００２８】
好ましくは、スライドレールアセンブリ２０は、固定レール３２を更に含む。第１のレール２２は、固定レール３２に対して移動可能である。
【００２９】
好ましくは、スライドレールアセンブリ２０は、第２のレール２４に取り付けられる第２の解放部材３４を更に含む。
【００３０】
好ましくは、図１及び図４に示すように、第１の解放部材２６は、第１の端部分３６ａと、第２の端部分３６ｂと、第１の端部分３６ａと第２の端部分３６ｂとの間に接続される動作部分３８とを含む。動作部分３８は、少なくとも１つのスロット４０を有する。本実施態様において、動作部分３８は、２つのスロット４０を有する。第２のレール２４は、第１の部分４２ａと、第２の部分４２ｂとを含む。第１の部分４２ａと第２の部分４２ｂとの間に段Ｇが形成される。第１の解放部材２６の第１の端部分３６ａは、第２のレール２４の第１の部分４２ａに取り付けられる。第１の解放部材２６の第２の端部分３６ｂは、第２のレール２４の第２の部分４２ｂに当接する。
【００３１】
図４及び図５に示すように、第２のレール２４が方向Ｄ１に沿って第１のレール２２に対して引込位置Ｐ０から第１の延出位置Ｐ１に移動させられるとき、第２のレール２４が方向Ｄ１に沿って第１のレール２２に対して更に動くのを防止するために、第１の解放部材２６が第１のレール２２の障害構成３０に当接し得るよう、第１のレール２２の障害構成３０は、動作部分３０のスロット４０内に延入する。
【００３２】
図６及び図７に示すように、第１の解放部材２６が第１のレール２２の障害構成３０から分離されるよう、第１の解放部材２６は、段Ｇに従って第１の位置Ｌ１から第２の位置Ｌ２に第１の力Ｆ１によって動作的に移動させられる。
【００３３】
好ましくは、スライドレールアセンブリ２０の第２の解放部材３４は、第２のレール２４の第３の部分４２ｃと第４の部分４２ｄとの間に取り付けられる。その場合には、段Ｇも第３の部分４２ｃと第４の部分４２ｄとの間に形成される。第２のレール２４が第１のレール２２に対して第１の延出位置Ｐ１から第２の延出位置Ｐ２に移動させられるとき、第２の解放部材３４は、第１のレール２２の障害構成３０に当接するように構成される。
【００３４】
好ましくは、図８及び図９に示すように、貫通孔４４が第１の解放部材２６に対応して第２のレール２４に形成される。制限部材２８は、第２のレール２４に配置される。制限部材２８は、横断方向(transverse  direction)に沿って延出させられる弾性部分４６を含む。第２の力Ｆ２を制限部材２８に加えて、制限部材２８を第１の解放部材２６に当接させるとき、第１の解放部材２６は、第１の位置Ｌ１から第２の位置Ｌ２に動作的に移動させられ得ない。
【００３５】
上記例示によれば、制限部材２８は、（図４及び図５に示すような）自由状態Ｓ１又は（図８に示すような）制限状態Ｓ２にあるように構成され、その場合、制限部材２８が自由状態Ｓ１にあるとき、第１の解放部材２６は、第１の位置Ｌ１から（図６に示すような）第２の位置Ｌ２に動作的に移動させられるように構成され、制限部材２８が制限状態Ｓ２にあるとき、第１の解放部材２６は第１の位置Ｌ１から第２の位置Ｌ２に動作的に移動させられ得ない。
【００３６】
図１０乃至図１２は、本発明のある実施態様に従ったシャーシシステム４８に適用されるスライドレールアセンブリ２０を示している。シャーシシステム４８は、第１のシャーシ５０と、第１のシャーシ５０に取り外し可能に取り付けられる第２のシャーシ５２とを含む。スライドレールアセンブリ２０の第２のレール２４は、第１のシャーシ５０に取り付けられる。その場合、図８に示す状態にあるために、第１の解放部材２６が押圧されて移動し得ないよう、制限部材２８は、第２のシャーシ５２によって駆動させられて、第１の解放部材２６を制限する。その場合、第２のシャーシ５２が第１のシャーシ５０から取り外されるとき、第１の解放部材２６は、図６に示す状態にあるために、動作的に押圧されて移動し得る。
【００３７】
具体的には、シャーシシステム４８の第１のシャーシ５０は、内部空間５４を有し、第１のシャーシ５０は、壁５６を含み、壁５６は、内部空間５４と連通する開口５８を有する。制限部材２８の弾性部分４６は、第１のシャーシ５０の内部空間５４内に位置するよう、第１のシャーシ５０の開口５８を通じて進む。その場合、第２のシャーシ５２が第１のシャーシ５０の内部空間５４内に配置されるとき、制限部材２８は、（図８に示す状態のように）第２のシャーシ５２によって第１の解放部材２６に向かって移動させられ、第２のシャーシ５２が第１のシャーシ５０から取り外されるとき、第１の解放部材２６は、第１の解放部材２６が第２の位置Ｌ２で第１のレール２２の障害構成３０から分離させられるのを可能にするために、（図６に示す状態のように）第１の位置Ｌ１から第２の位置Ｌ２に動作的に移動させられ得る。
【００３８】
好ましくは、シャーシシステム４８は、第１のシャーシ５０を収容するように構成されるハウジング６０を更に含む。スライドレールアセンブリ２０の固定レール３２は、ハウジング６０に据え付けられるように構成される。スライドレールアセンブリ２０の第１のレール２２は、固定レール３２に対して移動可能である。
【００３９】
上記構成によれば、本発明のスライドレールアセンブリ２０は、第１のシャーシ５０及び第２のシャーシ５２がハウジング６０に対して（図４に示すような）引込位置Ｐ０から（図５に示すような）第１の延出位置Ｐ１に移動するのを可能にし得る。第１のシャーシ５０及び第２のシャーシ５２が第１の延出位置Ｐ１にあるとき、第２のシャーシ５２は第１のシャーシ５０内に位置するので、第１のシャーシ５０及び第２のシャーシ５２はハウジング６０に対して更に引き出され得ない。換言すれば、第２のシャーシ５２が第１のシャーシ５０内に位置するとき、（図６に示すように）第２のシャーシ５２が第１のシャーシ５０から取り外されるまで、第１の解放部材２６が押圧されて移動し得ないよう、制限部材２８は、第１の解放部材２６を制限するために、第１のレール２２に向かって移動させられる。従って、第１のシャーシ５０は、（図７に示すように）第２の延出位置Ｐ２に更に移動させられ得る。それにより、本発明は、シャーシのために、より便利でより安全な保守及び交換を可能にする。
【００４０】
当業者は、本発明の教示を維持しながらデバイス及び方法の数多くの変形及び変更が行われることがあることに直ちに気付くであろう。従って、上記開示は、付属の請求項の境界によってのみ限定されるものとして解釈されなければならない。
【符号の説明】
【００４１】
２０    スライドレールアセンブリ  (slide  rail  assembly)
２２    第１のレール  (first  rail)
２４    第２のレール  (second  rail)
２６    第１の解放部材  (first  releasing  member)
２８    制限部材  (limiting  member)
３０    障害構成  (blocking  feature)
３２    固定レール  (fixed  rail)
３４    第２の解放部材  (second  releasing  member)
３６ａ  第１の端部分  (first  end  part)
３６ｂ  第２の端部分  (second  end  part)
３８    動作部分  (operating  part)
４０    スロット  (slots)
４２ａ  第１の部分  (first  part)
４２ｂ  第２の部分  (second  part)
４２ｃ  第３の部分  (third  part)
４２ｄ  第４の部分  (fourth  part)
４４    貫通孔  (through  hole)
４６    弾性部分  (elastic  part)
４８    シャーシシステム  (chassis  system)
５０    第１のシャーシ  (first  chassis)
５２    第２のシャーシ  (second  chassis)
５４    内部空間  (inner  space)
５６    壁  (wall)
５８    開口  (opening)
６０    ハウジング  (housing)
Ｆ１    第１の力  (first  force)
Ｆ２    第２の力  (second  force)
Ｇ      段  (step)
Ｓ１    自由状態  (free  state)
Ｓ２    制限状態  (limiting  status)
【図１】
2018010609.tif 000003
【図２】
2018010609.tif 000004
【図３】
2018010609.tif 000005
【図４】
2018010609.tif 000006
【図５】
2018010609.tif 000007
【図６】
2018010609.tif 000008
【図７】
2018010609.tif 000009
【図８】
2018010609.tif 000010
【図９】
2018010609.tif 000011
【図１０】
2018010609.tif 000012
【図１１】
2018010609.tif 000013
【図１２】
2018010609.tif 000014
【手続補正書】
【提出日】平成29年11月14日(2017.11.14)
【手続補正１】
【補正対象書類名】特許請求の範囲
【補正対象項目名】全文
【補正方法】変更
【補正の内容】
【特許請求の範囲】
【請求項１】
障害構成を含む第１のレールと、
長手方向に沿って前記第１のレールに対して移動可能な第２のレールと、
該第２のレールに取り付けられる第１の解放部材と、
該第１の解放部材に対応するように配置される制限部材とを含み、
前記第１の解放部材は、前記第１の解放部材が第１の位置に位置するときに、前記障害構成に当接するように構成され、前記第１の解放部材は、前記第１の解放部材が第２の位置に位置するときに、前記障害構成に当接せず、
前記制限部材は、自由状態又は制限状態にあるように構成され、
前記制限部材が前記自由状態にあるときに、前記第１の解放部材は、前記第１の位置から前記第２の位置に動作的に移動させられるように構成され、前記制限部材が前記制限状態にあるときに、前記第１の解放部材は、前記第１の位置から前記第２の位置に動作的に移動させられ得ず、
前記第２のレールが前記第１のレールに対して引込位置から第１の延出位置に移動させられるときに、前記第１の解放部材は、前記第１の位置で前記第１のレールの前記障害構成に当接し、
前記第１の解放部材は、第１の端部分と、第２の端部分と、前記第１の端部分と前記第２の端部分との間に接続される動作部分とを含み、該動作部分は、スロットを有し、前記第２のレールは、第１の部分と、第２の部分とを含み、段が、前記第１の部分と前記第２の部分との間に形成され、前記第１の解放部材の前記第１の端部分は、前記第２のレールの前記第１の部分に取り付けられ、前記第１の解放部材の前記第２の端部分は、前記第２のレールの前記第２の部分に当接し、前記第１の解放部材の前記動作部分は、前記第１の解放部材が前記第１のレールの前記障害構成から分離させられるのを可能にするために、前記段に従って動作的に移動させられるように構成される、
スライドレールアセンブリ。
【請求項２】
前記障害構成は、前記第１のレールの端に近接して配置される、請求項１に記載のスライドレールアセンブリ。
【請求項３】
障害構成を含む第１のレールと、
長手方向に沿って前記第１のレールに対して移動可能な第２のレールと、
該第２のレールに取り付けられる第１の解放部材と、
該第１の解放部材に対応するように配置される制限部材とを含み、
前記第１の解放部材は、前記第１の解放部材が第１の位置に位置するときに、前記障害構成に当接するように構成され、前記第１の解放部材は、前記第１の解放部材が第２の位置に位置するときに、前記障害構成に当接せず、
前記制限部材は、自由状態又は制限状態にあるように構成され、
前記制限部材が前記自由状態にあるときに、前記第１の解放部材は、前記第１の位置から前記第２の位置に動作的に移動させられるように構成され、前記制限部材が前記制限状態にあるときに、前記第１の解放部材は、前記第１の位置から前記第２の位置に動作的に移動させられ得ず、
貫通孔が、前記第１の解放部材に対応して、前記第２のレールに形成され、前記制限部材は、前記第２のレールに取り付けられ、前記制限部材は、横断方向に沿って延出させられる弾性部分を含み、力が前記第１の解放部材に加えられて、前記制限部材を前記第１の解放部材に当接させるときに、前記第１の解放部材は、前記第１の位置から前記第２の位置に動作的に移動させられ得ない、
スライドレールアセンブリ。
【請求項４】
障害構成を含む第１のレールと、
長手方向に沿って前記第１のレールに対して移動可能な第２のレールと、
該第２のレールに取り付けられる第１の解放部材と、
該第１の解放部材に対応するように配置される制限部材とを含み、
前記第１の解放部材は、前記第１の解放部材が第１の位置に位置するときに、前記障害構成に当接するように構成され、前記第１の解放部材は、前記第１の解放部材が第２の位置に位置するときに、前記障害構成に当接せず、
前記制限部材は、自由状態又は制限状態にあるように構成され、
前記制限部材が前記自由状態にあるときに、前記第１の解放部材は、前記第１の位置から前記第２の位置に動作的に移動させられるように構成され、前記制限部材が前記制限状態にあるときに、前記第１の解放部材は、前記第１の位置から前記第２の位置に動作的に移動させられ得ず、
前記第２のレールが前記第１のレールに対して引込位置から第１の延出位置に移動させられるときに、前記第１の解放部材は、前記第１の位置で前記第１のレールの前記障害構成に当接し、
前記第２のレールに取り付けられる第２の解放部材を更に含み、前記第２のレールが前記第１のレールに対して前記第１の延出位置から第２の延出位置に移動させられるときに、前記第２の解放部材は、前記第１のレールの前記障害構成に当接するように構成される、
スライドレールアセンブリ。
【請求項５】
シャーシシステムのためのスライドレールアセンブリであって、
前記シャーシシステムは、第１のシャーシと、該第１のシャーシに取り外し可能に取り付けられる第２のシャーシとを含み、
当該スライドレールアセンブリは、
障害構成を含む第１のレールと、
長手方向に沿って前記第１のレールに対して移動可能であり、前記第１のシャーシに取り付けられる、第２のレールと、
前記第２のレールに取り付けられ、前記障害構成に当接するように構成される、第１の解放部材と、
該第１の解放部材に対応して、前記第２のレールに取り付けられる、制限部材とを含み、
前記第２のシャーシが前記第１のシャーシに取り付けられるときに、前記制限部材は、前記第１の解放部材が前記障害構成から分離させられるのを防止するために、前記第１の解放部材が押圧されて移動し得ないよう、前記第１の解放部材を更に制限するために、前記第２のシャーシによって前記第１のレールに向かって移動させられ、
前記第２のシャーシが前記第１のシャーシから取り外されるときに、前記第１の解放部材が前記障害構成から分離させられるのを可能にするために、前記第１の解放部材は押圧されて移動し得る、
スライドレールアセンブリ。
【請求項６】
前記第２のレールが前記第１のレールに対して引込位置から第１の延出位置に移動させられるときに、前記第１の解放部材は、前記障害構成に当接するように構成される、請求項５に記載のスライドレールアセンブリ。
【請求項７】
前記障害構成は、前記第１のレールの端に隣接して配置される、請求項５に記載のスライドレールアセンブリ。
【請求項８】
前記第１の解放部材は、第１の端部分と、第２の端部分と、前記第１の端部分と前記第２の端部分との間に接続される動作部分とを含み、該動作部分は、スロットを有し、前記第２のレールは、第１の部分と、第２の部分とを含み、段が、前記第１の部分と前記第２の部分との間に形成され、前記第１の解放部材の前記第１の端部分は、前記第２のレールの前記第１の部分に取り付けられ、前記第１の解放部材の前記第２の端部分は、前記第２のレールの前記第２の部分に当接し、前記第１の解放部材の前記動作部分は、前記第１の解放部材が前記第１のレールの前記障害構成から分離させられるのを可能にするために、前記段に従って動作的に移動させられるように構成される、請求項６に記載のスライドレールアセンブリ。
【請求項９】
貫通孔が、前記第１の解放部材に対応して、前記第２のレールに形成され、前記制限部材は、横断方向に沿って延出させられる弾性部分を含み、前記制限部材は、前記第１の解放部材が前記第１の延出位置から第２の延出位置に動作的に移動させられ得ないように、前記第１の解放部材に当接するよう前記第２のシャーシによって駆動させられるように構成される、請求項８に記載のスライドレールアセンブリ。
【請求項１０】
前記第２のレールに取り付けられる第２の解放部材を更に含み、前記第２のレールが前記第１のレールに対して前記第１の延出位置から第２の延出位置に移動させられるときに、前記第２の解放部材は、前記第１のレールの前記障害構成に当接するように構成される、請求項８に記載のスライドレールアセンブリ。
【請求項１１】
内部空間を有し、壁を含む、第１のシャーシであって、開口が、前記壁に形成され、前記内部空間と連通させられる、第１のシャーシと、
該第１のシャーシに取り外し可能に取り付けられる第２のシャーシと、
スライドレールアセンブリとを含む、
シャーシシステムであって、
前記スライドレールアセンブリは、
障害構成を含む第１のレールと、
長手方向に沿って前記第１のレールに対して移動可能な第２のレールと、
該第２のレールに取り付けられる第１の解放部材と、
該第１の解放部材に対応するように配置される制限部材とを含み、
前記第２のレールが前記第１のレールに対して引込位置から第１の延出位置に移動させられるときに、前記第１の解放部材は、前記障害構成に当接するように構成され、
前記制限部材は、前記第１のシャーシの前記内部空間内に配置されるよう前記第１のシャーシの前記開口を通じて進む弾性部分を有し、
貫通孔が、前記第１の解放部材に対応して、前記第２のレールに形成され、前記第２のシャーシが前記第１のシャーシの前記内部空間内に取り付けられるときに、前記第１の解放部材が前記障害構成から分離させられるのを防止するために、前記第１の解放部材が押圧されて移動し得ないように、前記第１の解放部材を更に制限するために、前記制限部材は、前記第２のシャーシによって前記第１のレールに向かって移動させられ、
前記第２のシャーシが前記第１のシャーシから取り外されるときに、前記第１の解放部材は、前記第１の解放部材が前記第１のレールの前記障害構成から分離させられるのを可能にするために、押圧されて移動し得る、
シャーシシステム。
【請求項１２】
前記障害構成は、前記第１のレールの端に隣接して配置される、請求項１１に記載のシャーシシステム。
【請求項１３】
前記第１の解放部材は、第１の端部分と、第２の端部分と、前記第１の端部分と前記第２の端部分との間に接続される動作部分とを含み、該動作部分は、スロットを有し、前記第２のレールは、第１の部分と、第２の部分とを含み、段が、前記第１の部分と前記第２の部分との間に形成され、前記第１の解放部材の前記第１の端部分は、前記第２のレールの前記第１の部分に取り付けられ、前記第１の解放部材の前記第２の端部分は、前記第２のレールの前記第２の部分に当接し、前記第１の解放部材の前記動作部分は、前記段に従って動作的に移動させられるように構成される、請求項１１に記載のシャーシシステム。
【請求項１４】
前記第２のレールに取り付けられる第２の解放部材を更に含み、前記第２のレールが前記第１のレールに対して前記第１の延出位置から第２の延出位置に移動させられるときに、前記第２の解放部材は、前記第１のレールの前記障害構成に当接するように構成される、請求項１３に記載のシャーシシステム。
【請求項１５】
前記第１のシャーシを収容するように構成されるハウジングを更に含み、前記スライドレールアセンブリは、前記ハウジングに取り付けられる固定レールを更に含み、前記第１のレールは、前記固定レールに対して移動可能である、請求項１１に記載のシャーシシステム。